(57)【要約】      （修正有）【課題】局所ハンダ付け装置に用いられるノズルを提供する。【解決手段】筒状の細径ノズルより必要少量の溶融ハンダを吐出し、基板と接触させることにより、該基板下面に必要小面積の範囲でハンダ付けを行うところの局所ハンダ付け装置に用いられるハンダ吐出ノズルであって、該ノズルは、ハンダ槽内に取付けられるノズル基部２と、その上面に直立するノズル先端部４とを備え、該ノズル先端部を該ノズル基部に対して磁気的に吸着し、そして分離することを可能にする着脱構造を有し、また前記ノズル基部の上面３と、これに接触する前記ノズル先端部の下面７とは、ともに、ハンダ吐出ノズルの中心線と直交する平面上にあり、そして該ノズル先端部が該ノズル基部に対し摺り移動するのを抑止する中心ずれ防止構造を備えてなる、ハンダ吐出ノズル。【選択図】図２
0003145044.tif 000002
【実用新案登録請求の範囲】
【請求項１】
筒状の細径ノズルより必要少量の溶融ハンダを吐出し、基板と接触させることにより、該基板下面に必要小面積の範囲でハンダ付けを行うところの局所ハンダ付け装置に用いられるハンダ吐出ノズルであって、
該ノズルは、ハンダ槽内に取付けられるノズル基部と、その上面に直立するノズル先端部とを備え、該ノズル先端部を該ノズル基部に対して磁気的に吸着し、そして分離することを可能にする着脱構造を有し、
また前記ノズル基部の上面と、これに接触する前記ノズル先端部の下面とは、ともに、ハンダ吐出ノズルの中心線と直交する平面上にあり、
そして該ノズル先端部が該ノズル基部に対し摺り移動するのを抑止する中心ずれ防止構造を備えてなる、ハンダ吐出ノズル。
【請求項２】
前記中心ずれ防止構造は、ノズル先端部の下面の周縁に形成された周壁と、ノズル基部の上面の周縁に形成された、該周壁に嵌合される段部とからなる、請求項１に記載のハンダ吐出ノズル。
【請求項３】
前記着脱構造は、ノズル先端部の少なくとも下部が磁性体から成るとともに、ノズル基部に永久磁石が内蔵されることにより構成されている、請求項１に記載のハンダ吐出ノズル。
【請求項４】
前記着脱構造は、ノズル基部の少なくとも上部が磁性体から成るとともに、ノズル先端部に永久磁石が内蔵されることにより構成されている、請求項１に記載のハンダ吐出ノズル。
【請求項５】
前記着脱構造は、ノズル先端部の少なくとも下部とノズル基部の少なくとも上部とに夫々永久磁石が内蔵されて成る、請求項１に記載のハンダ吐出ノズル。
【請求項６】
前記ノズル先端部は、その重心がノズル下半部の中心線上に位置するような形状をなす、請求項１に記載のハンダ吐出ノズル。
【請求項７】
前記着脱構造は、ノズル先端部の少なくとも下部が磁性体から成るとともに、ノズル基部に永久磁石が内蔵されることにより構成されている、請求項２に記載のハンダ吐出ノズル。
【請求項８】
前記ノズル先端部は、その重心がノズル下半部の中心線上に位置するような形状をなす、請求項７に記載のハンダ吐出ノズル。
【考案の詳細な説明】
【技術分野】
【０００１】
本考案は、局所ハンダ付け装置において使用されるところのハンダ吐出ノズルに関し、より詳細には、ノズルの交換作業が容易であり、且つ正確な位置での適量のハンダ付けができるところの、ハンダ吐出ノズルに関する。
【背景技術】
【０００２】
従来、ノズルより必要少量の溶融ハンダを吐出し、基板と接触させることにより該基板下面に必要小面積の範囲でハンダ付けを行う局所ハンダ付け装置が知られている。そして、この装置には、ハンダ吐出ノズルとして、着脱可能な筒状の細径ノズルが用いられている（例えば、特許文献１参照）。この筒状の細径ノズルは一般に、正確なハンダ付けを行うために、ノズルの直立姿勢が保持されるよう、それをハンダ槽内のノズル取付け部に取付けたとき、ノズルと取付け部の中心線が合うようにする必要がある。そのため、従来、ノズル取付け部に螺着可能なねじ込み方式の構造を有するノズルが採用されている。ところで、ハンダ吐出ノズルは高温の溶融ハンダとの接触により経時劣化するので、一定期間使用の後、未使用の新しいものと交換される。例えば、ハンダ吐出ノズルの交換は、図５において示されるように、専用工具１３を用いて、ノズル１４を、ハンダ槽１５内のノズル取付け部１６より取外し、そして新しいノズルをねじ締めにより取付けることにより行われる。
【特許文献１】特開２００８−１０９０３４号公報
【考案の開示】
【考案が解決しようとする課題】
【０００３】
しかし、ノズル先端より吐出しノズルの外面に垂れ落ちた溶融ハンダがねじ部で固化すると、ねじ締めが不良となったり、或いはノズル先端の高さが変わってしまうなどして、ハンダ付け不良を引き起こす原因となる。また、高温の溶融ハンダ１７で満たされたハンダ槽１５内でのハンダ吐出ノズルの交換は、面倒で作業しづらいだけでなく、火傷の危険もある。
そこで、ハンダ槽内でのノズルの交換作業をいたって容易になすことができ、且つ経時使用の間にわたってノズルの位置ずれを起こさず正確なハンダ付けをなすことができるハンダ吐出ノズルが望まれる。
【課題を解決するための手段】
【０００４】
そこで本考案者は鋭意工夫の結果、上記課題を解決し得るノズルを考案するに至った。即ち、本考案は、
筒状の細径ノズルより必要少量の溶融ハンダを吐出し、基板と接触させることにより、該基板下面に必要小面積の範囲でハンダ付けを行うところの局所ハンダ付け装置に用いられるハンダ吐出ノズルであって、
該ノズルは、ハンダ槽内に取付けられるノズル基部と、その上面に直立するノズル先端部とを備え、該ノズル先端部を該ノズル基部に対して磁気的に吸着し、そして分離することを可能にする着脱構造を有し、
また前記ノズル基部の上面と、これに接触する前記ノズル先端部の下面とは、ともに、ハンダ吐出ノズルの中心線と直交する平面上にあり、
そして該ノズル先端部が該ノズル基部に対し摺り移動するのを抑止する中心ずれ防止構造を備えてなる、ハンダ吐出ノズルに関する。
このうち好ましい態様は、中心ずれ防止構造は、ノズル先端部の下面の周縁に形成された周壁と、ノズル基部の上面の周縁に形成された、該周壁に嵌合される段部とからなる、前述のハンダ吐出ノズルに関する。
別の好ましい態様は、着脱構造は、ノズル先端部の少なくとも下部が磁性体から成るとともに、ノズル基部に永久磁石が内蔵されることにより構成されている、ハンダ吐出ノズルに関する。
さらに別の好ましい態様は、着脱構造は、ノズル基部の少なくとも上部が磁性体から成るとともに、ノズル先端部に永久磁石が内蔵されることにより構成されている、ハンダ吐出ノズルに関する。
また別の好ましい態様は、着脱構造は、ノズル先端部の少なくとも下部とノズル基部の少なくとも上部とに夫々永久磁石が内蔵されて成る、ハンダ吐出ノズルに関する。
また別の好ましい態様は、ノズル先端部は、その重心がノズル下半部の中心線上に位置するような形状をなす、ハンダ吐出ノズルに関する。
【考案の効果】
【０００５】
本考案のハンダ吐出ノズルにおいては、ノズル先端部をノズル基部に対して磁気的に吸着し、そして分離することを可能にする着脱構造を有するため、ノズル先端部をノズル基部より取外しそして新しいノズル先端部をノズル基部に取付ける作業がいたって容易である。この際、ノズル基部の上面と、これに接触するノズル先端部の下面とは、ともに、ハンダ吐出ノズルの中心線と直交する平面上にあるため、ノズル先端部を直立した姿勢でノズル基部の上に容易に取付けることができる。また、本考案では、ノズル先端部がノズル基部に対して摺り移動するのが抑止された構造を有するため、ノズル先端部とノズル基部との中心線合わせが容易であり、ノズルの中心ずれを防止することができる。
さらに、この中心ずれ防止構造を、ノズル先端部の下面の周縁に形成された周壁と、ノズル基部の上面の周縁に形成された、該周壁に嵌合される段部とからなるものとすることによって、ノズル先端部の摺り移動をより効果的に防止するとともに、ノズル先端部とノズル基部との隙間への溶融ハンダの侵入を防止できるので、正確な位置でのハンダ付けを常に確保することができる。
また、ノズル先端部を、その重心がノズル下半部の中心線上に位置するような形状となすことにより、ノズル先端部を安定させ、ずれ移動しにくくすることができる。
【考案を実施するための最良の形態】
【０００６】
本考案のノズルは、筒状の細径ノズルより必要少量の溶融ハンダを吐出し、基板と接触させることにより、該基板下面に必要小面積の範囲でハンダ付けを行うところの局所ハンダ付け装置に用いられるハンダ吐出ノズルの１種である。そして、本考案のハンダ吐出ノズルは、ハンダ槽内に取付けられるノズル基部と、その上面に直立するノズル先端部とを備えたものである。その主な特徴は、ノズル先端部の交換作業がハンダ槽内であっても簡単であり、しかも、ノズル先端部とノズル基部との中心線合わせが容易である点にある。
そしてこれらの特徴が達成されるため、本考案においては、ノズル先端部をノズル基部に対して磁気的に吸着し、そして分離することを可能にする着脱構造をハンダ吐出ノズルに採用している。この着脱構造によって、例えば、ノズル先端部の下部をノズル基部の上部に単に載せ置くようにすれば、互いに磁気により吸着してノズル先端部を容易に取付けることができる。逆に、ノズル先端部をノズル基部から取外すときには、ノズル先端部を単に上方に持ち上げるだけで容易に行うことができる。そのため、ノズル先端部の交換において、ねじ込み及びねじ締め等の面倒な作業は不要となり、ハンダ槽内であっても交換作業は非常に簡単なものとなる。また、ノズルに付与する磁力は、ハンダ付けの際にハンダ吐出ノズルの直立姿勢が保持され、及びノズル基部とノズル先端部との中心線がずれを生じず、しかし、ノズル先端部をノズル基部から容易に取外すことができる程度の強さのものであればよい。
【０００７】
着脱構造としては例えば、ノズル先端部の少なくとも下部が磁性体から成るとともに、ノズル基部に永久磁石が内蔵されることにより構成されているものを挙げることができる。この永久磁石は、ノズル先端部に対して磁力が効果的に且つ均等に作用するように配置
及び形状を考慮するのがよい。例えば、ノズル基部にはその内側においてノズルの中心線に沿って溶融ハンダの給送路が形成されているため、この給送路を取り囲むような環状の永久磁石をノズル基部の上部に内蔵した構造を挙げることができる。永久磁石は完全な環状でなく、部分的に欠落した形状のものであってもよい。
着脱構造を、ノズル基部の少なくとも上部が磁性体から成るとともに、ノズル先端部に永久磁石が内蔵したことにより構成する場合には、上記と同様の形状の永久磁石がノズル先端部の下部に内蔵された構造でよい。
また、ノズル先端部の少なくとも下部とノズル基部の少なくとも上部とに夫々永久磁石を内蔵したことにより構成する場合には、環状の永久磁石２個を極性が反対となるように配置する構成でよい。
【０００８】
また本考案においては、ノズル先端部を直立した姿勢でノズル基部の上面に取付けることができるように、ノズル基部の上面と、これに接触するノズル先端部の下面とは、ともに、ハンダ吐出ノズルの中心線と直交する平面上に存在するような構造のものを採用している。
【０００９】
また、本考案においては、ノズル先端部がノズル基部に対し摺り移動するのを抑止する中心ずれ防止構造は、ハンダ吐出ノズルの中心線に対して直交する方向へのノズル先端部のずれを防止できる構造であり、具体的には例えば、ノズル先端部の下面の周縁に形成された周壁と、ノズル基部の上面の周縁に形成された、該周壁に嵌合される段部とからなる構造のものであり、この構造によると、ノズル先端部の下部をノズル基部の上部に単に嵌め合わせることによって容易に取付けできるだけでなく、ノズル基部とノズル先端部との中心合わせがさらに容易となるよう工夫されている。
【００１０】
また、本考案においては、ノズル先端部を、その重心がノズル下半部の中心線上に位置するような形状のものとするのが望ましい。ノズル先端部が低重心となる形状にすることにより、ノズル先端部のずれ移動がより効果的に防止されている。例えば、ノズル先端部の下半部が上半部に比してより膨らんだ外形を有するものを挙げることができる。
【００１１】
以下、実施例を挙げて本考案をより具体的に説明するが、本実施例は例示のためであり、本考案を限定して解釈するためのものではない。
【実施例】
【００１２】
実施例
図１及び図１のＡ−Ａ線における断面図である図２に示すように、本考案のハンダ吐出ノズル１は、局所ハンダ付け装置に用いられるものであり、筒状の形状を有している。そしてハンダ吐出ノズル１は、ハンダ槽内（図示せず）に取付けられるノズル基部２と、その上面３に直立するノズル先端部４（ステンレス製；高さおよそ８ｃｍ；上端の内径およそ７ｍｍ）とを備えたものである。ノズル基部２の上部５には、リング状の永久磁石６が内蔵されており、ノズル先端部４をノズル基部２に対して磁気的に吸着及び分離することのできる着脱構造となしたものである。ここで、このハンダ吐出ノズル１は、ノズル基部２の上面３とこれに接触するノズル先端部４の下面７がともに、ハンダ吐出ノズル１の中心線（図中のＰ−Ｐ線）と直交する平面上（側面からみてＱ−Ｑ線に相当する）にある構造のものである。また、ハンダ吐出ノズル１には、中心ずれ防止構造として、ノズル先端部４の下面７の周縁にはその全体にわたる周壁８（厚さおよそ１ｍｍ）を形成し、他方、ノズル基部２の上面３の周縁には、その全体にわたり周壁８に嵌合される段部９を形成している。そしてまた、ノズル先端部４は、上半部１０よりも下半部１１が水平方向に膨らむ形状に成形されており、重心が下半部の中心線上に位置するものとされている。
而して、図３及び図４に示すように、このノズル先端部４を上方へと持ち上げてノズル基部２から分離するという単純な動作でノズル基部２から取外すことができる。その一方
で、新品のノズル先端部４の下面７をノズル基部２の上面３に接触させることにより、永久磁石６の磁力により吸着するため簡単に取付けることができるし、ノズル先端部４の下部１２をノズル基部２の上部５に単に嵌合することによって中心合わせもまた容易である。このように、本考案のハンダ吐出ノズル１は、その交換の際に従来のような面倒なねじ込み及びねじ締め作業を必要とせず、中心合わせも容易であるため、その交換が容易であり且つ安全である。
【図面の簡単な説明】
【００１３】
【図１】図１は、本考案のハンダ吐出ノズルの一態様を示す図である。
【図２】図２は、図１のＡ−Ａ線における断面図である。
【図３】図３は、ノズル基部とノズル先端部とに分離したハンダ吐出ノズルを示す図である。
【図４】図４は、ノズル基部とノズル先端部とに分離したハンダ吐出ノズルを別方向からみた図である。
【図５】図５は、従来のノズルを交換する工程を示す図である。
【符号の説明】
【００１４】
１  ハンダ吐出ノズル    ２  ノズル基部    ３  上面    ４  ノズル先端部    ５  上部    ６  永久磁石    ７  下面    ８  周壁    ９  段部    １０  上半部    １１  下半部    １２  下部    １３  専用工具    １４  ノズル    １５  ハンダ槽    １６
ノズル取付け部    １７  溶融ハンダ
【図１】
0003145044.tif 000003
【図２】
0003145044.tif 000004
【図３】
0003145044.tif 000005
【図４】
0003145044.tif 000006
【図５】
0003145044.tif 000007